【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
複数の色成分に対応する信号からなる第１画像データから、第２画像データを生成する画像処理装置であって、
前記第１画像データのうち、同じ色成分に対応する複数の信号を加算して、前記第２画像データの着目画素の第１信号を生成する第１の補正手段と、 
前記第１画像データのうち、異なる色成分に対応する複数の信号を加算して、前記第２画像データの着目画素の第２信号を生成する第２の補正手段と、
前記着目画素における色情報に基づいて、前記第１の補正手段で生成された前記第１信号と、前記第２の補正手段で生成された前記第２信号を混合する混合手段と、
を有することを特徴とする画像処理装置。
【請求項２】
前記第２の補正手段で加算される複数の信号に対応する前記第１画像データ上の画素間の距離は、前記第１の補正手段で加算される複数の信号に対応する前記第１画像データ上の画素間の距離よりも近いことを特徴とする、請求項１に記載の画像処理装置。
【請求項３】
前記第１の補正手段は、前記第１画像データにおいて前記着目画素から所定方向に存在する前記着目画素と同色の画素の信号と、前記着目画素の信号とを加重加算して前記第１信号を生成し、
前記第２の補正手段は、前記同色の画素よりも前記所定方向において前記着目画素の近くに存在する画素の信号と、前記着目画素の信号とを加重加算して前記第２信号を生成する、ことを特徴とする請求項１または請求項２に記載の画像処理装置。
【請求項４】
前記混合手段は、前記色情報により、前記着目画素が無彩色である度合いが大きいことが示されるほど、前記第２信号の比率を大きくして前記混合を行うことを特徴とする請求項３に記載の画像処理装置。
【請求項５】
前記第１の補正手段が、前記第１画像データにおいて前記着目画素と前記所定方向に隣接する前記着目画素と同色の画素の信号を用いて前記第１信号を生成することを特徴とする請求項３または請求項４に記載の画像処理装置。
【請求項６】
前記第２の補正手段が、前記第１画像データにおいて前記着目画素と前記所定方向に隣接する画素の信号を用いて前記第２信号を生成することを特徴とする請求項３から請求項５のいずれか１項に記載の画像処理装置。
【請求項７】
前記色情報を前記第１の補正手段で生成された前記第１信号の値から算出する算出手段をさらに有することを特徴とする請求項１から請求項６のいずれか１項に記載の画像処理装置。
【請求項８】
前記第１の補正手段で生成された前記第１信号の値に対して偽色低減処理を適用する偽色低減手段をさらに有し、
前記算出手段は、前記色情報を、前記偽色低減処理が適用された前記着目画素の値から算出することを特徴とする請求項７に記載の画像処理装置。
【請求項９】
前記混合手段は前記着目画素の輝度成分の値を生成し、前記着目画素の色成分の値は、前記第１信号の値を用いることを特徴とする請求項１から請求項８のいずれか１項に記載の画像処理装置。
【請求項１０】
前記輝度成分の値に対してノイズ低減処理を適用するとともに、前記ノイズ低減処理前後の値を前記色情報に応じて加重加算するノイズ低減手段をさらに有し、
前記ノイズ低減手段は、前記色情報により、前記着目画素が無彩色である度合いが大きいことが示されるほど、前記ノイズ低減処理後の値の比率を大きくして前記加重加算を行うことを特徴とする請求項９記載の画像処理装置。
【請求項１１】
前記第１画像データが、カラー撮像素子から加算読み出しもしくは間引き読み出しされた画像のデータであることを特徴とする請求項１から請求項１０のいずれか１項に記載の画像処理装置。
【請求項１２】
前記第１画像データが、カラー撮像素子から読み出された画像の画素を加算もしくは間引いた画像のデータであることを特徴とする請求項１から請求項１０のいずれか１項に記載の画像処理装置。
【請求項１３】
前記色情報が彩度又は色差であることを特徴とする請求項１から請求項１２のいずれか１項に記載の画像処理装置。
【請求項１４】
複数の色成分に対応する信号からなる第１画像データから、第２画像データを生成する画像処理装置の制御方法であって、 
前記第１画像データのうち、同じ色成分に対応する複数の信号を加算して、前記第２画像データの着目画素の第１信号を生成する第１の補正工程と、
前記第１画像データのうち、異なる色成分に対応する複数の信号を加算して、前記第２画像データの着目画素の第２信号を生成する第２の補正工程と、
前記着目画素における色情報に基づいて、前記第１の補正工程で生成された前記第１信号と、前記第２の補正工程で生成された前記第２信号とを混合する混合工程と、を有することを特徴とする画像処理装置の制御方法。
【請求項１５】
コンピュータを、請求項１から請求項１３のいずれか１項に記載の画像処理装置の各手段として機能させるためのプログラム。
【手続補正２】
【補正対象書類名】明細書
【補正対象項目名】０００７
【補正方法】変更
【補正の内容】
【０００７】
上述の目的は、複数の色成分に対応する信号からなる第１画像データから、第２画像データを生成する画像処理装置であって、第１画像データのうち、同じ色成分に対応する複数の信号を加算して、第２画像データの着目画素の第１信号を生成する第１の補正手段と、 第１画像データのうち、異なる色成分に対応する複数の信号を加算して、第２画像データの着目画素の第２信号を生成する第２の補正手段と、着目画素における色情報に基づいて、第１の補正手段で生成された第１信号と、第２の補正手段で生成された第２信号を混合する混合手段と、を有することを特徴とする画像処理装置によって達成される。
【手続補正３】
【補正対象書類名】明細書
【補正対象項目名】００３１
【補正方法】変更
【補正の内容】
【００３１】
次に、Ｓ４０４で画像処理部１０４は、色情報算出部３０５を用い、輝度信号Ｙと偽色低減処理後の色差信号Ｕ，Ｖとから、画素ごとの彩度Ｓを算出する。彩度Ｓは、例えば輝度信号Ｙと色差信号Ｕ，ＶをＲ，Ｇ，Ｂに変換した後、式（１４）〜（１６）を用いて算出すれば良い。
ＭＡＸ  ＝  ｍａｘ（Ｒ，Ｇ，Ｂ）          …  式（１４）
ＭＩＮ  ＝  ｍｉｎ（Ｒ，Ｇ，Ｂ）          …  式（１５）
Ｓ      ＝（ＭＡＸ  −  ＭＩＮ）／ＭＡＸ  …  式（１６）
なお、関数ｍａｘ（）は引数の最大値を、関数ｍｉｎ（）は引数の最小値を、それぞれ出力する。
本実施形態において、画素の色情報を彩度としたが、色差信号など、色の強さを表す他の指標でも良い。例えば、色差信号Ｕの二乗と色差信号Ｖの二乗の和を用いて判断してもよい。彩度Ｓは、画像合成部３０６とノイズ低減部３０７へ入力される。
【手続補正４】
【補正対象書類名】明細書
【補正対象項目名】００３８
【補正方法】変更
【補正の内容】
【００３８】
具体的には、輝度信号Ｙに含まれるノイズレベルが大きい多いと考えられる、無彩色の被写体ほど、ノイズ低減処理後の輝度信号の重みを大きくする。図１１は、輝度合成部９０３における、彩度Ｓとノイズ低減処理前後の輝度信号の重み（合成比率）の関係例を示している。具体的には、ノイズ低減処理前の輝度信号の重み（合成比率）Ｐ１、ノイズ低減処理後の輝度信号の合成比率Ｐ２を、式（２１）〜（２５）のように決定すればよい。
Ｐａ  ＋  Ｐｂ  ＝  １                                      …  式（２１）
Ｐ１  ＝  Ｐａ  、Ｐ２  ＝  Ｐｂ      ｉｆ（Ｓ＜Ｓ１）      …  式（２２）
Ｐ１  ＝｛（Ｓ２−Ｓ）Ｐａ＋（Ｓ−Ｓ１）Ｐｂ｝／（Ｓ２−Ｓ１）
ｉｆ（Ｓ１≦Ｓ≦Ｓ２）…  式（２３）
Ｐ２  ＝｛（Ｓ−Ｓ１）Ｐａ＋（Ｓ２−Ｓ）Ｐｂ｝／（Ｓ２−Ｓ１）
ｉｆ（Ｓ１≦Ｓ≦Ｓ２）…  式（２４）
Ｐ１  ＝  Ｐｂ  、Ｐ２  ＝  Ｐａ      ｉｆ（Ｓ＞Ｓ２）      …  式（２５）
なお、重みの最小値Ｐａおよび最大値Ｐｂ、一方の合成比率が最大となる閾値Ｓ１，Ｓ２については、例えば実験的に定めることができる。
【手続補正５】
【補正対象書類名】明細書
【補正対象項目名】００３９
【補正方法】変更
【補正の内容】
【００３９】
画像処理部１０４（ノイズ低減部３０７）の出力信号である輝度信号Ｙと色差信号Ｕ，Ｖは、記録部１０５へと入力され、静止画か動画かや、記録形式に応じて予め定めたファイル形式に変換され、記録媒体に記録される。また、制御部１０６を通じて表示部１０８に表示される。
【手続補正６】
【補正対象書類名】図面
【補正対象項目名】図８
【補正方法】変更
【補正の内容】
【図８】
2015095890.tif 000001
【手続補正７】
【補正対象書類名】図面
【補正対象項目名】図９
【補正方法】変更
【補正の内容】
【図９】
2015095890.tif 000002
【手続補正８】
【補正対象書類名】図面
【補正対象項目名】図１０
【補正方法】変更
【補正の内容】
【図１０】
2015095890.tif 000003